【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
コンピュータ装置であって、
処理回路と、
信号を転送するための複数の入力／出力ピンを含み、前記処理回路に結合される入力／出力ポート・コネクタと、
前記入力／出力ポート・コネクタへのデータ・ドライブの接続を検出するデータ・ドライブ検出回路と、
前記検出回路の出力に応じて、検出されたデータ・ドライブを駆動するため前記ピンの一つに選択的に電力を供給するための電力・イネーブル回路と、
を含むコンピュータ装置。
【請求項２】
請求項１に記載のコンピュータ装置であって、前記データ・ドライブ検出回路は、
第１のピン上の所定の信号を検出する回路と、
前記第１のピン上の前記所定の信号の検出に応じて第２のピンに電流を供給する回路と、
前記第２のピン上の電圧に応じて所定の出力を生成する回路と、
を含むコンピュータ装置。
【請求項３】
請求項１に記載のコンピュータ装置であって、前記所定の信号は接地電圧信号であるコンピュータ装置。
【請求項４】
請求項１に記載のコンピュータ装置であって、前記第２のピンは、プリンタが前記入力／出力ポートに接続される場合は接地に、前記入力／出力ポートがデータ・ドライブに結合される場合はロードに接続されるコンピュータ装置。
【請求項５】
請求項１に記載のコンピュータ装置であって、前記入力／出力ポート・コネクタがパラレル・ポート・コネクタであるコンピュータ装置。
【請求項６】
請求項２に記載のコンピュータ装置であって、前記データ・ドライブ検出回路は、更に前記第２のピンへの電流をディスエーブルする回路を含むコンピュータ装置。
【請求項７】
請求項６に記載のコンピュータ装置であって、電流をディスエーブルする前記回路は、所定時間後に前記第２のピンへの電流をディスエーブルする回路を含むコンピュータ装置。
【請求項８】
請求項１に記載のコンピュータ装置であって、オーバーヒーティングに応じて前記データ・ドライブへの電力をディスエーブルする熱保護回路を更に含むコンピュータ装置。
【請求項９】
コンピュータであって、
処理回路と、
接続されたデータ・ドライブ又はプリンタのいずれか一方に信号を転送するための複数の入力／出力ピンを有する、前記処理回路に結合されるパラレル・ポート・コネクタと、
データ・ドライブ又はプリンタのいずれが前記パラレル・ポート・コネクタに接続されているかを検出するためのデータ・ドライブ検出回路と、
前記検出回路の出力に応じて、検出されたデータ・ドライブを駆動するため前記ピンの一つに選択的に電力を供給し、検出されたプリンタへの電力をディスエーブルする電力・イネーブル回路
とを含むコンピュータ。
【請求項１０】
請求項９に記載のコンピュータであって、前記データ検出回路は、前記第１のピン及び基準電圧に結合される第１の演算増幅器と、第２のピン及び前記基準電圧に結合される第２の演算増幅器とを含み、前記第１の演算増幅器の出力は前記第１のピンが所定の電圧に結合されているかどうかに応じ、前記第２の演算増幅器の出力は前記第２のピンが電圧レールに結合されているかどうかに応答するコンピュータ。
【請求項１１】
請求項１０に記載のコンピュータであって、前記データ・ドライブ検出回路は、前記第２のピンに電流を供給するための回路を更に含むコンピュータ。
【請求項１２】
請求項１１に記載のコンピュータであって、前記第２のピンに電流を供給するための回路は、所定時間の期間、前記第２のピンに電流を供給するための回路を含むコンピュータ。
【請求項１３】
請求項９に記載のコンピュータであって、前記電力スイッチ回路はトランジスタを含むコンピュータ。
【請求項１４】
請求項９に記載のコンピュータであって、前記データ・ドライブ検出回路の出力に応じて、データ・ドライブが前記パラレル・ポート・コネクタに結合されるかどうかを表す信号を生成するロジックを更に含むコンピュータ。
【請求項１５】
複数のピンを有する入力／出力ポート・コネクタに結合されるデバイスに選択的に電力を供給する回路であって、
前記入力／出力ポート・コネクタへの前記デバイスの接続を検出するためのデバイス検出回路と、
前記入力／出力ポート・コネクタの第１のピンに結合されるパワー・レールを前記デバイスが有するかどうかを判定するためのデバイス識別回路と、
前記検出回路の出力に応じて、前記デバイス識別回路に応じてデバイスを駆動するため前記第１のピンに選択的に電力を供給するための電力・イネーブル回路
とを含む回路。
【請求項１６】
請求項１５に記載の電力供給回路であって、前記デバイス検出回路は、第２のピン上の接地信号に応答する回路を含む電力供給回路。
【請求項１７】
請求項１５に記載の電力供給回路であって、前記識別回路は、前記第１のピンがパワー・レールに結合されるかどうかに応じて識別信号を生成するための回路を含む電力供給回路。
【請求項１８】
請求項１７に記載の電力供給回路であって、識別信号を生成するため前記回路は、前記第１のピンに電流を供給するための回路を含む電力供給回路。
【請求項１９】
請求項１７に記載の電力供給回路であって、識別信号を生成するため前記回路は、所定の期間、前記第１のピンに電流を供給する回路を含む電力供給回路。
【請求項２０】
請求項１５に記載の電力供給回路であって、前記電力スイッチ回路は、前記識別信号に応じて前記第１のピンに電流を流すための回路を含む電力供給回路。
【請求項２１】
請求項１８に記載の電力供給回路であって、前記電力スイッチ回路は、前記識別信号によって駆動される制御ゲートを有するトランジスタを含む電力供給回路。
【請求項２２】
複数のピンを有する入力／出力ポート・コネクタに結合されるデバイスに電力を供給する方法であって、
入力／出力ポート・コネクタへのデバイスの接続を検出し、
前記入力／出力ポート・コネクタの第１のピンに結合されるパワー・レールをデバイスが有するかどうかを判定し、
前記判定工程に応じて、デバイスを駆動するため前記第１のピンに電源を結合する
工程を含む方法。
【請求項２３】
請求項２２に記載の方法であって、前記検出工程は、第２のピンが接地に接続されるかどうかを検出する工程を含む方法。
【請求項２４】
請求項２２に記載の方法であって、前記判定工程は、第１のピンがパワー・レール結合されるかどうかに応じて識別信号を生成する工程を含む方法。
【請求項２５】
請求項２４項に記載の方法であって、前記生成工程は、前記第１のピンに電流を供給する工程を含む方法。
【請求項２６】
請求項２４に記載の方法であって、前記生成工程は、所定の時間の期間、前記第１のピンに電流を供給する工程を含む方法。
【請求項２７】
請求項２２に記載の方法であって、前記結合工程は、前記識別信号に応じて第１のピンに電源を結合する工程を含む方法。
【請求項２８】
コンピュータ装置であって、
処理回路と、
信号を転送するための複数の入力／出力ピンを含み、前記処理回路に結合される入力／出力ポート・コネクタと、
前記入力／出力ポート・コネクタへのデータ・ドライブの接続の検出に応じて、前記入力／出力ポート・コネクタへのデータ・ドライブの接続を検出し、検出されたデータ・ドライブを駆動するため前記ピンの一つに選択的に電力を供給するための電力スイッチ回路と、
を含むコンピュータ装置。
【請求項２９】
請求項２８に記載のコンピュータであって、前記電力スイッチ回路は、
接続されたデータ・ドライブ又はプリンタのいずれか一方に信号を転送するための複数の入力／出力ピンを有する、前記処理回路に結合されるパラレル・ポート・コネクタと、
前記入力／出力ポート・コネクタへのデータ・ドライブが接続されているかを検出するための検出回路と、
前記検出回路の出力に応じて、検出されたデータ・ドライブを駆動するため前記ピンの一つに選択的に電力を供給する電力・イネーブル回路と、
を含むコンピュータ装置。
【請求項３０】
請求項２８に記載のコンピュータ装置であって、更に、
前記検出回路と前記電力・イネーブル回路に接続され、データ・ドライブが前記入力／出力ポート・コネクタに接続されるか又接続を解除されるとき、ＳＭＩを生成するロジック回路を有するコンピュータ装置。
【請求項３１】
コンピュータ装置であって、
処理回路と、
信号を転送するための複数の入力／出力ピンを含み、前記処理回路に結合される入力／出力ポート・コネクタと、
前記入力／出力ポート・コネクタへの外部装置の接続を検出するための電力スイッチ回路であって、前記外部装置が選択された種類であるとき前記複数の入力／出力ピンの１つをＶｃｃに接続し、他方を接地に接続し、前記外部装置が選択された種類でないとき前記複数の入力／出力ピンの前記１つ及び前記他方を接地に接続するための電力スイッチ回路と、
を含むコンピュータ装置。
【請求項３２】
請求項３１に記載のコンピュータ装置であって、前記電力スイッチ回路は、前記外部装置が検出されないとき前記複数の入力／出力ピンの前記１つ及び前記他方を浮遊とするコンピュータ装置。